(57)【要約】【課題】電子機器等の広範な被洗浄物の乾式ブラスト洗浄にあたり、被洗浄物に発生する静電気を簡単かつ確実に除去できるようにする。【解決手段】除電ブロックＥは、アース線を介して接地された導電性を有する基盤１と、基盤１に設けられた複数の貫通孔１ａにそれぞれ軸方向へ移動自在に嵌挿された導電性を有するピン２とを備えている。各ピン２は、基盤１と鍔状部５との間にスプリング６を介在させることにより常にストッパ４が基盤１の反被洗浄物側の面に当接した状態で待機するように付勢されている。接触機構１３のレバー１４を回動させると、除電ブロックＥが被洗浄物Ｗに向かって前進して各ピン２の接点３が被洗浄物Ｗに当接し、当接した部位の凹凸部に対応して各ピン毎にスプリング６の弾発力に抗して基盤１から被洗浄物Ｗ側へ突出する長さが独立して変化して所定の接触圧力で当接し、静電気を除去することができる。【選択図】　　　図１
2004066112.tif 000002
【特許請求の範囲】
【請求項１】
乾式ブラスト洗浄中の被洗浄物に対して、前記被洗浄物の複数の部位に、それぞれ軸方向に移動自在であってかつ接地された導電性を有するピンを多点接触させることにより、前記被洗浄物に発生する静電気を除去することを特徴とする、乾式ブラスト洗浄における被洗浄物の除電方法。
【請求項２】
被洗浄物を保持する保持手段と、接地された導電性を有する基盤および前記基盤にそれぞれ可動機構を介して軸方向に移動自在に配設された複数の導電性を有するピンを備えた除電ブロックと、前記除電ブロックを前記保持手段に保持された前記被洗浄物に対して前進および後退させる接触機構とを有しており、前記接触機構によって前記除電ブロックを前進させて前記ピンを前記被洗浄物に多点接触させて前記被洗浄物に発生する静電気を除去するように構成されたことを特徴とする、乾式ブラスト洗浄における被洗浄物の除電装置。
【請求項３】
複数の導電性を有するピンは、それぞれ独立して軸方向に移動自在であり、被洗浄物の凹凸部に対応して軸方向へ移動して前記被洗浄物に接触するように構成されたことを特徴とする、請求項２記載の乾式ブラスト洗浄における被洗浄物の除電装置。
【請求項４】
各可動機構は、導電性を有するピンを所定の接触圧力で被洗浄物に接触させる緩衝手段を有することを特徴とする、請求項３記載の乾式ブラスト洗浄における被洗浄物の除電装置。
【発明の詳細な説明】
【０００１】
【発明の属する技術分野】
本発明は、電子機器等の被洗浄物の乾式ブラスト洗浄中に被洗浄物に発生する静電気を除去する被洗浄物の除電方法および装置に関するものである。
【０００２】
【従来の技術】
従来、静電気に対して脆弱な電子機器等の被洗浄物を乾式ブラスト洗浄する際に、被洗浄物に発生する静電気による静電気破壊を防止する方法として、被洗浄物に界面活性剤をコーティングして、静電気の帯電を抑制する方法が用いられている。
【０００３】
【発明が解決しようとする課題】
上記従来の技術では、被洗浄物に界面活性剤をコーティングする界面活性剤コーティング工程が必要であることと、被洗浄物の洗浄後の電気特性への影響等を考慮して界面活性剤の種類を選択する必要があり、洗浄対象物が限定されるという未解決の課題があった。
【０００４】
本発明は、上記従来の技術の有する未解決の課題に鑑みてなされたものであって、電子機器等の広範にわたる被洗浄物の乾式ブラスト洗浄にあたり、被洗浄物に発生する静電気を簡単かつ確実に除去することができる、乾式ブラスト洗浄における被洗浄物の除電方法および装置を提供することを目的とするものである。
【０００５】
【課題を解決するための手段】
上記目的を達成するため、本発明の乾式ブラスト洗浄における被洗浄物の除電方法は、乾式ブラスト洗浄中の被洗浄物に対して、前記被洗浄物の複数の部位に、それぞれ軸方向に移動自在であってかつ接地された導電性を有するピンを多点接触させることにより、前記被洗浄物に発生する静電気を除去することを特徴とするものである。
【０００６】
本発明の乾式ブラスト洗浄における被洗浄物の除電装置は、被洗浄物を保持する保持手段と、接地された導電性を有する基盤および前記基盤にそれぞれ可動機構を介して軸方向に移動自在に配設された複数の導電性を有するピンを備えた除電ブロックと、前記除電ブロックを前記保持手段に保持された前記被洗浄物に対して前進および後退させる接触機構とを有しており、前記接触機構によって前記除電ブロックを前進させて前記ピンを前記被洗浄物に多点接触させて前記被洗浄物に発生する静電気を除去するように構成されたことを特徴とするものである。
【０００７】
また、複数の導電性を有するピンは、それぞれ独立して軸方向に移動自在であり、被洗浄物の凹凸部に対応して軸方向へ移動して前記被洗浄物に接触するように構成されたものとする。
【０００８】
さらに、各可動機構は、導電性を有するピンを所定の接触圧力で被洗浄物に接触させる緩衝手段を有するものとする。
【０００９】
【作用】
乾式ブラスト洗浄中に、洗浄中の被洗浄物の複数の部位に、それぞれ接地された導電性を有するピンを当接させることにより、被洗浄物に発生する静電気を確実に除去することができる。
【００１０】
【発明の実施の形態】
先ず、一実施の形態による乾式ブラスト洗浄における被洗浄物の除電装置について説明する。
【００１１】
図１の（ａ）、（ｂ）に示すように、電子機器等の被洗浄物Ｗ（例えば、プリント配線板）を保持する保持手段である一対の保持部材１０と、導電性を有する基盤１および基盤１に互いに間隔をおいて配設された複数の導電性を有するピン２を備えた除電ブロックＥと、除電ブロックＥを保持部材１０に保持された被洗浄物Ｗに対して前進および後退させる接触機構１３等を有している。
【００１２】
一対の保持部材１０は、固定枠１１の一端側に互いに対向して突設されており、被洗浄物Ｗの両側縁部を先端に設けられた溝状部７ａに嵌合させて保持できるように構成されている。
【００１３】
除電ブロックＥは、アース線１２を介して接地された導電性を有する基盤１と、基盤１に互いに間隔をおいて設けられた複数の貫通孔１ａと、各貫通孔１ａにそれぞれ軸方向へ移動自在に嵌挿された導電性を有するピン２とを備えている。各ピン２には、一端に弾力性を有する導電性ゴム等からなる接点３が一体的に設けられているとともに、他端に抜け止め用のストッパ４が一体的に設けられており、基盤１とピン２の長手方向略中間部位に設けられた鍔状部１０との間に緩衝手段としてのスプリング６を介在させることにより、常にストッパ４が基盤１の反被洗浄物側の面に当接した状態で待機するように付勢されている。
【００１４】
そして、除電ブロックＥは、基盤１の周辺部近傍部位（例えば４隅近傍部位）に設けられたガイド孔１ａに嵌挿された先端にストッパａを有するガイド部材７に案内されて、保持部材１０に保持された被洗浄物Ｗに対して進退自在であるとともに、基盤１と保持部材１０との間に介在されたスプリング８の弾発力によって常時付勢されてピン２の先端が被洗浄物Ｗから離間した後退位置で待機するように構成されている。
【００１５】
接触機構１３は固定枠１１の他端側に配設されており、操作レバー１４を図１の（ａ）に示す位置から図２に示す位置に回動させることにより、操作レバー１４に連動する図示しないカム機構やリンク機構等により移動枠９を介して除電ブロックＥを被洗浄物Ｗに対して前進（図示矢印方向へ移動）させて各ピン２の接点３を弾力的に当接させることができるように構成されている。
【００１６】
なお、本発明において、接触機構は、上記一実施の形態に示した操作レバー１４に連動するカム機構やリンク機構等を有する接触機構１３に限らず、油圧または空気圧等の加圧流体で作動される流体圧シリンダや電動シリンダ等の直線駆動手段を用いることができる。
【００１７】
また、各ピン２の可動機構は、上記一実施の形態に示した、基盤１に設けた貫通孔１ａにピン２を軸方向に移動自在に嵌挿し、基盤１とピン２の鍔状部５との間にスプリング６を介在させたものに限らず、各ピン２を流体圧シリンダや電動シリンダ等の直線駆動手段に連結し、各直線駆動手段を介して各ピン２を独立して直線移動させるように変更することができる。
【００１８】
次に、本発明に係る乾式ブラスト洗浄における被洗浄物の除電方法の工程について、上述した図１に示した被洗浄物の除電装置を用いた場合を例に挙げて説明する。
【００１９】
（１）図１の（ａ）、（ｂ）に示すように、被洗浄物Ｗを、その対向する両側縁部を保持部材１０の先端の溝状部１０ａに嵌合して保持しておく。
【００２０】
他方、操作レバー１４を図示水平位置にして移動枠９を固定枠１１の反保持部材側に後退させることにより、除電ブロックＥを基盤１と保持部材１０間に介在されたスプリング８の弾発力によって各ピン２の接点３が被洗浄物Ｗから十分に離間した待機位置に後退させておく。
【００２１】
なお、この待機位置においては、除電ブロックＥの各ピン２は、基盤１と鍔状部５との間に介在されたスプリング６の弾発力により、ストッパ４が基盤１の反被洗浄物側面に当接している。
【００２２】
（２）上記（１）ののち、図２に示すように、接触機構１３のレバー１４を回動させて図示しないカム機構やリンク機構等を介して移動枠９とともに除電ブロックＥをスプリング８の弾発力に抗して被洗浄物Ｗに向かって前進（矢印方向へ直線移動）させる。すると、各ピン２の先端の接点３が被洗浄物Ｗの対向部位に当接し、当接した部位の凹凸部に対応して各ピン２毎にスプリング６の弾発力に抗して基盤１から被洗浄物Ｗ側へ突出する長さが独立して変化する。その結果、各ピン２の接点３はそれぞれ緩衝手段であるスプリング６の弾発力に相当する所定の接触圧力で被洗浄物Ｗに当接され、被洗浄物Ｗに当接された各ピン２を通して被洗浄物Ｗが接地された状態になる。
【００２３】
すなわち、複数の接地された導電性を有するピン２を、被洗浄物Ｗの多点接触させる。
【００２４】
（３）上記（２）ののち、乾式ブラスト洗浄を開始すると、乾式ブラスト洗浄中に被洗浄物Ｗに発生する静電気が、各ピン２から基盤１を介してアース線１２に流れて除電される。
【００２５】
【発明の効果】
本発明は、上述のとおり構成されているので、次に記載するような効果を奏する。
【００２６】
乾式ブラスト洗浄中に被洗浄物に発生する静電気を確実に除去することができるので、被洗浄物が静電気に対して脆弱な電子機器であっても、その電気特性に害を及ぼすことなく乾式ブラスト洗浄を容易かつ安全に行うことができる。
【図面の簡単な説明】
【図１】一実施の形態による除電装置を示し、（ａ）は全体構成を示す説明図、（ｂ）は主要部を示す模式部分断面図である。
【図２】図１に示す除電装置の作動状態を示す説明図である。
【符号の説明】
１　　基盤
１ａ　　貫通孔
１ｂ　　ガイド孔
２　　ピン
３　　接点
４、７ａ　　ストッパ
５　　鍔状部
６、８　　スプリング
７　　ガイド部材
９　　移動枠
１０　　保持部材
１０ａ　　溝状部
１１　　固定枠
１２　　アース線
１３　　接触機構
１４　　操作レバー
【図１】
2004066112.tif 000003
【図２】
2004066112.tif 000004